(57)【要約】  本発明は、等速ジョイントであって、外側のボール溝（２２）を備えたジョイント外側部分（１２）と、内側のボール溝（２３）を備えたジョイント内側部分（１３）と、を含み、それぞれ１つの外側のボール溝（２２）と内側のボール溝（２３）とが１つの溝対（２２，２３）を互いに形成しており；等速ジョイントはさらに、各溝対（２２，２３）内におけるそれぞれ１つのトルクを伝達するボール（１４）と；トルクを伝達するボール（１４）が収容されているボールケージ（１５）とを含み；２０度よりも小さい屈曲角度（β）を含む第１の屈曲角度範囲が規定されていて、２０度よりも大きい屈曲角度（β）を含む第２の屈曲角度範囲が規定されており；開放角（δ）は、第１の屈曲角度範囲内では、屈曲角度（β）が増加するにつれ増加し、第１の屈曲角度範囲の第１の平均開放角勾配（Ｓ１）は、第２の屈曲角度範囲の第２の平均開放角勾配（Ｓ２）よりも大きい、等速ジョイントに関する。
2021529291.tif 000002
【特許請求の範囲】
【請求項１】
等速ジョイントであって、
長手方向軸線（Ｌ１２）と複数の外側のボール溝（２２）とを備えたジョイント外側部分（１２）であって、接続側と開口側とを有するジョイント外側部分（１２）と、
長手方向軸線（Ｌ１３）と複数の内側のボール溝（２３）とを備えたジョイント内側部分（１３）と、を含んでおり、
それぞれ１つの外側のボール溝（２２）と内側のボール溝（２３）とが１つの溝対（２２，２３）を互いに形成しており、
前記等速ジョイントは、
各溝対（２２，２３）内におけるそれぞれ１つのトルクを伝達するボール（１４）と、前記ジョイント外側部分（１２）と前記ジョイント内側部分（１３）との間に配置されたボールケージ（１５）であって、前記トルクを伝達するボール（１４）のうちの少なくとも１つをそれぞれ収容する、周方向で分配されたケージ窓（１８）を有しているボールケージ（１５）と、を含んでおり、
前記ジョイント内側部分（１３）の前記長手方向軸線（Ｌ１３）と前記ジョイント外側部分（１２）の前記長手方向軸線（Ｌ１２）とが同軸に向けられている状態で、前記ボールケージ（１５）の前記ボール（１４）が、ジョイント中央平面（ＥＭ）を規定していて、前記両長手方向軸線（Ｌ１２，Ｌ１３）は、屈曲角度（β）がゼロ度（０°）ではない場合に、ジョイント屈曲平面（ＥＢ）を画定しており、
前記ジョイント屈曲平面（ＥＢ）で見て、前記等速ジョイント（１１）の各角度位置において、外側のボール溝（２２）とボール（１４）との間の外側の接触点において前記外側のボール溝（２２）と当接する外側の接線（Ｔ）と、内側のボール溝（２３）とボール（１４）との間の内側の接触点において前記内側のボール溝（２３）と当接する内側の接線（Ｔ’）との間に開放角（δ）が形成されており、
前記ボール（１４）の中心点は、前記外側のボール溝（２２）および前記内側のボール溝（２３）に沿って移動する際に、それぞれ１つの中心線（Ａ，Ａ’）を規定し、
さらに、２０度よりも小さい屈曲角度（β）（−２０°＜β＜２０°）を含む第１の屈曲角度範囲が規定されていて、かつ２０度よりも大きい屈曲角度（β）（β＜−２０°およびβ＞２０°）を含む第２の屈曲角度範囲が規定されており、
前記溝対（２２，２３）の少なくともいくつかは、
−前記ジョイント屈曲平面（ＥＢ）内で、前記ジョイント外側部分（１２）の前記接続側に向かって移動するボール（１４）の接続側の開放角（δａ）が、前記第１の屈曲角度範囲内では、屈曲角度（β）が増加するにつれ増加し、前記接続側の開放角（δａ）の接続側の第１の平均開放角勾配（Ｓ１）は、前記第１の屈曲角度範囲内の屈曲角度（β）に関して規定されており、
−前記第１の屈曲角度範囲の前記接続側の第１の平均開放角勾配（Ｓ１）は、前記第２の屈曲角度範囲の接続側の第２の平均開放角勾配（Ｓ２）よりも大きいように、
形成されている、等速ジョイント。
【請求項２】
前記接続側の第１の平均開放角勾配（Ｓ１）は０．５よりも大きい、
かつ／または
前記接続側の第２の平均開放角勾配（Ｓ２）は０．５よりも小さい、請求項１記載の等速ジョイント。
【請求項３】
前記少なくともいくつかの溝対（２２，２３）は、
−屈曲角度がゼロ度（β＝０°）の場合に、前記開放角（δ）が少なくともゼロ度（δ≧０°）であるように、かつ／または８度未満（δ＜８°）であるように、特に４度未満（δ＜４°）であるように、
形成されている、請求項１または２記載の等速ジョイント。
【請求項４】
前記少なくともいくつかの溝対（２２，２３）は、前記接続側の開放角（δａ）が、前記第２の屈曲角度範囲内の屈曲角度（β）に関して可変であるように構成されている、請求項１から３までのいずれか１項記載の等速ジョイント。
【請求項５】
前記少なくともいくつかの溝対（２２，２３）は、前記第２の屈曲角度範囲内の各屈曲角度（β）について、前記ジョイント屈曲平面（ＥＢ）で前記ジョイント外側部分（１２）の前記開口側へと移動しているボール（１４）の開口側の開放角（δｏ）と、屈曲角度（β）が同じ場合に前記ジョイント屈曲平面（ＥＢ）で前記ジョイント外側部分（１２）の前記接続側へと移動しているボール（１４）の接続側の開放角（δａ）とが、同じ軸方向に向かって開いているように形成されている、請求項１から４までのいずれか１項記載の等速ジョイント。
【請求項６】
前記ジョイント外側部分（１２）の前記ボール溝（２２）はその長さにわたってそれぞれ１つの開口側の溝区分（２２ｏ）と接続側の溝区分（２２ａ）とを有しており、
前記ジョイント外側部分（１２）の前記ボール溝（２２）の前記接続側の溝区分（２２ａ）は、異なる曲率を有したそれぞれ少なくとも２つのセグメント（２２ａ１，２２ａ２）を有している、
請求項１から５までのいずれか１項記載の等速ジョイント。
【請求項７】
前記ジョイント外側部分（１２）の前記接続側の溝区分（２２ａ）の第１のセグメント（２２ａ１）は第１の曲率半径（Ｒａ１）を有しており、
前記接続側の溝区分（２２ａ）の前記第１の曲率半径（Ｒａ１）に対するピッチ円半径（ＰＣＲ）の比は１．４よりも大きい、
請求項６記載の等速ジョイント。
【請求項８】
前記第１のセグメント（２２ａ１）の前記第１の曲率半径（Ｒａ１）は、第１のセグメント中心点（Ｍａ１）を中心とする第１の円弧区分によって形成されており、前記第１のセグメント中心点（Ｍａ１）は、前記ジョイント中央平面（ＥＭ）に位置していて、前記長手方向軸線（Ｌ１２）から、前記ボール溝（２２）の方向に半径方向間隔（オフセット）を有している、請求項７記載の等速ジョイント。
【請求項９】
前記ジョイント外側部分（１２）の前記接続側の溝区分（２２ａ）の第２のセグメント（２２ａ２）は第２の曲率半径（Ｒａ２）を有しており、
前記接続側の溝区分（２２ａ）の前記第２の曲率半径（Ｒａ２）に対する前記ピッチ円半径（ＰＣＲ）の比は１．４よりも小さい、
請求項６から８までのいずれか１項記載の等速ジョイント。
【請求項１０】
前記第２のセグメント（２２ａ２）の前記第２の曲率半径（Ｒａ２）は、第２のセグメント中心点（Ｍａ２）を中心とする第２の円弧区分によって形成されており、前記第２のセグメント中心点（Ｍａ２）は、前記ジョイント中央平面（ＥＭ）から開口側の方向に軸方向間隔（オフセット）を有している、請求項９記載の等速ジョイント。
【請求項１１】
前記ボールケージ（１５）は、前記ジョイント外側部分（１２）の内面に対して前記ボールケージ（１５）をガイドするための球面状の外面（１６）と、前記ジョイント内側部分（１３）の外面に対して前記ボールケージ（１５）をガイドするための球面状の内面（１７）とを有しており、
前記球面状の外面（１６）の中心点と、前記球面状の内面（１７）の中心点との間に、軸方向のずれ（オフセット）が設けられている、
請求項１から１０までのいずれか１項記載の等速ジョイント。
【請求項１２】
前記等速ジョイント（１１）を潤滑するための潤滑剤が設けられており、前記潤滑剤は０．０２〜０．０９の摩擦係数（μ）（０．０２＜μ＜０．０９）を、特に０．０５〜０．０６の摩擦係数（μ）（０．０５＜μ＜０．０６）を有している、請求項１から１１までのいずれか１項記載の等速ジョイント。
【請求項１３】
前記少なくともいくつかの溝対（２２，２３）は、
前記第１の円弧区分が、前記第１のセグメント中心点（Ｍａ１）を中心として１４°〜２２°の第１の溝セグメント角度（γ１）（１４°＜γ１＜２２°）にわたって延在するように、かつ／または
前記第２の円弧区分が、前記第２のセグメント中心点（Ｍａ２）を中心として１２°〜２０°の第２の溝セグメント角度（γ２）（１２°＜γ２＜２０°）にわたって延在するように、
形成されている、請求項１から１２までのいずれか１項記載の等速ジョイント。
【請求項１４】
前記少なくともいくつかの溝対（２２，２３）については、以下の記載、すなわち：
ピッチ円半径（ＰＣＲ）とボール直径（Ｄ１４）との比が１．４〜２．１である；
ピッチ円半径（ＰＣＲ）と前記ボールケージ（１５）の軸方向のずれ（オフセット）との比が５．０〜１２．５である；
ピッチ円半径（ＰＣＲ）と前記第２の溝セグメント中心点（Ｍａ２）の軸方向のずれ（オフセット）との比が４．０〜８．０である；
ピッチ円半径（ＰＣＲ）と前記ジョイント内側部分（１３）の接続成形部の直径（Ｄ１３ｉ）との比が１．０〜１．２５である；
ピッチ円半径（ＰＣＲ）と前記ジョイント外側部分（１２）の外径（Ｄ１２ｏ）との比が０．３１５〜０．３４５である、
のうちの少なくとも１つが当てはまる、請求項１から１３までのいずれか１項記載の等速ジョイント。
【発明の詳細な説明】
【技術分野】
【０００１】
本発明は、トルクを伝達するための等速ジョイントであって、外側のボール溝を備えたジョイント外側部分と、内側のボール溝を備えたジョイント内側部分と、外側のボール溝と内側のボール溝とから成る対偶内にガイドされる、トルクを伝達するボールと、ボールケージとを有しており、ボールケージは、周方向で分配された窓内にボールを収容し、１つの共通の平面で保持している、等速ジョイントに関する。等速ジョイントによって、屈曲運動を行いながら、ジョイント外側部分とジョイント内側部分との間でトルク伝達が可能である。
【０００２】
基本的に等速ジョイントは、固定式ジョイントおよび摺動式ジョイントの形態で区別される。固定式等速ジョイントでは、実質的に、ジョイント外側部分とジョイント内側部分との間には屈曲運動可能性しかなく、すなわち通常の許容誤差を除いては軸方向の運動は行われない。これに対して、摺動式等速ジョイントによっては、屈曲運動の他、ジョイント外側部分とジョイント内側部分との間で軸方向の摺動運動も可能とされる。
【０００３】
独国特許出願公開第１０２０１２１０２６７８号明細書により、固定式ジョイントの形態の等速ジョイントが公知である。等速ジョイントの各角度位置で、ボールへの外側の接線と内側の接線との間に開放角が形成されている。溝対は、小さな屈曲角度範囲内では、少なくとも１つのジョイント屈曲角度で開放角がゼロであり、より大きな屈曲角度範囲内では、ジョイント外側部分の開口側へと移動しているボールの開口側の開放角と、同じジョイント屈曲角度でジョイント外側部分の接続側へと移動しているボールの接続側の開放角とが、ゼロではなく、同じ軸方向に開いているように形成されている。
【０００４】
欧州特許出願公開第０８０２３４１号明細書により、８個のトルクを伝達するボールを備えた固定式ジョイントの形態の等速ジョイントが公知である。それぞれ１つの外側のボール溝と内側のボール溝とから成る溝対は、ジョイントの開口側に向かって開いている。１つの実施形態では、ボール溝は、長さにわたって一様の半径を有している。別の実施形態では、ボール溝は、円弧状区分とそれに続く直線部分とから成っている；このような形式の等速ジョイントは、アンダカットのないジョイント（ＵＦ−ジョイント）とも呼ばれる。
【０００５】
米国特許第８２６７８０２号明細書により公知の固定式等速ジョイントでは、外側のボール溝の中心点と内側のボール溝の中心点とが、球面中心点に対してシフトされている。ピッチ円半径（ＰＣＲ）に対して相対的な軸方向のシフト（Ｆ）の比は、０．０４５〜０．０６５である。さらに、ジョイント中央平面で互いに移行する湾曲した溝区分とまっすぐな溝区分とを有した固定式等速ジョイントが公知である。さらに、溝長さ全体にわたって一様の湾曲された溝区分を有する固定式等速ジョイントが公知である。
【０００６】
等速ジョイントの構造では、部分的に矛盾する多種の要求を満たさなければならない。すなわち、最も重要な目的は、損失出力を最小にするために、もしくはジョイントの効率を最大にするために、作動時に協働するジョイント構成部分の反力をできるだけ僅かにすることである。同時に、等速ジョイントは、運転時に生じる全ての角度位置において、確実に、かつできるだけ摩耗なしで作動されるのが望ましい。
【０００７】
溝の曲率の構成に応じて、等速ジョイントの比較的大きなまたは比較的小さな開放角が生じる。ジョイント内側部分における僅かな曲率もしくは小さい曲率半径を有する溝の延在により、屈曲角度が比較的大きな場合にボールがボール溝から外へ大きく出ることがある。ジョイント内側部分における大きな曲率もしくは大きな曲率半径を有する溝の延在により、ジョイントが屈曲する際の開放角の増加が比較的僅かになり、このことはボールケージの制御にとっては欠点となり得る。
【０００８】
したがって本発明の根底を成す課題は、屈曲角度が小さい場合でも確実なケージ制御を可能とし、屈曲角度が比較的大きい場合に、ジョイント内側部分で十分なトルク伝達容量を有するような等速ジョイントを提案することである。
【０００９】
この課題を解決するために、等速ジョイントであって：長手方向軸線と複数の外側のボール溝とを備えたジョイント外側部分であって、接続側と開口側とを有するジョイント外側部分と；長手方向軸線と複数の内側のボール溝とを備えたジョイント内側部分と、を含んでおり、それぞれ１つの外側のボール溝と内側のボール溝とが１つの溝対を互いに形成しており；この等速ジョイントは、各溝対内におけるそれぞれ１つのトルクを伝達するボールと；ジョイント外側部分とジョイント内側部分との間に配置されたボールケージであって、トルクを伝達するボールのうちの少なくとも１つをそれぞれ収容する、周方向で分配されたケージ窓を有しているボールケージと、を含んでおり；ジョイント内側部分の長手方向軸線とジョイント外側部分の長手方向軸線とが同軸に向けられている状態で、ボールケージのボールが、ジョイント中央平面（ＥＭ）を規定していて、両長手方向軸線（Ｌ１２，Ｌ１３）は、屈曲角度（β）がゼロ度ではない場合に、ジョイント屈曲平面（ＥＢ）を画定しており；ジョイント屈曲平面（ＥＢ）で見て、等速ジョイントの各角度位置において、外側のボール溝とボールとの間の外側の接触点において外側のボール溝と当接する外側の接線（Ｔ）と、内側のボール溝とボールとの間の内側の接触点において内側のボール溝と当接する内側の接線（Ｔ’）との間に開放角（δ）が形成されており；ボールの中心点は、外側のボール溝および内側のボール溝に沿って移動する際に、それぞれ１つの中心線（Ａ，Ａ’）を規定し；さらに、２０度よりも小さい屈曲角度（β）（−２０°＜β＜２０°）を含む第１の屈曲角度範囲が規定されていて；かつ２０度よりも大きい屈曲角度（β）（β＞±２０°）を含む第２の屈曲角度範囲が規定されており；溝対の少なくともいくつかは、ジョイント屈曲平面（ＥＢ）内で、ジョイント外側部分の接続側に向かって移動するボールの接続側の開放角（δａ）が、第１の屈曲角度範囲内では、屈曲角度（β）が増加するにつれ増加し、第１の屈曲角度範囲内の屈曲角度（β）に関する、接続側の開放角（δａ）の接続側の第１の平均開放角勾配（Ｓ１）は、第２の屈曲角度範囲内の屈曲角度（β）に関する開放角（δ）の接続側の第２の平均開放角勾配（Ｓ２）よりも大きいように、形成されている、等速ジョイントが提案される。
【００１０】
この等速ジョイントの利点は、ジョイント中央平面を中心として２０度までの中央の屈曲角度範囲内で開放角が増加することに基づき、ボールケージの確実なケージ制御が、特に中央平面から接続側に移動しているボールによっても、保証されていることである。この場合、中央の屈曲角度範囲内の比較的大きな溝半径により、この屈曲角度に関する開放角の増加は小さくなる。しかしながら、２０度を超える比較的大きな屈曲角度の場合には開放角の上昇率は再び減少し、特に、中央の屈曲角度範囲におけるよりも小さくなることにより、ボールは、このような大きな屈曲角度の場合でもジョイント内側部分で確実にガイドされ、ジョイント内側部分のボール溝から軸方向にごく僅かにしか出ない。
【００１１】
開放角は、それぞれ外側のボール溝および内側のボール溝内でガイドされるボールとの接触領域における、外側のボール溝への外側の接線と、内側のボール溝への内側の接線との間で規定されている。この場合、開放角は、ジョイント外側部分の長手方向軸線とジョイント内側部分の長手方向軸線とによって画定されるジョイント屈曲平面に、もしくはこのジョイント屈曲平面内に位置し内部にボールを収容している溝対に、関する。ボールとボール溝との接触領域はこの場合、例えば、横断面半径がボールの半径に相当する円形の溝横断面では、ジョイント屈曲平面内に直接位置しており、または例えばボール溝の横断面が円形ではない場合には、ボールとボール溝との間のボール接触線によって画定される、ジョイント屈曲平面に対して平行にシフトされた平面に位置している。後者の場合は、開放角を成す、各ボール溝に当接する接線の投影図が、ジョイント屈曲平面で見られる。
【００１２】
等速ジョイントについて、それぞれ１つの外側のボール溝と内側のボール溝とから形成される溝対のうちの少なくともいくつかは、屈曲角度が比較的大きい場合に、開放角の比較的小さな増加率を有する本発明による形態を有している。等速ジョイントのボールもしくは溝対の個数は、ジョイントに対する技術要件に応じて任意に選択することができ、例えば６個、７個、または８個であってよい。本開示の範囲内で、１つの溝対または少なくともいくつかの溝対と言う場合は、それぞれ記載された特徴は、ジョイントの２つの、３つ以上の、より大きな部分の、または全ての溝対にも相応に関連させてよい。
【００１３】
ジョイントの屈曲に関する開放角の変化は、開放角勾配または開放角増加率とも呼ばれる、開放角の増加率Ｓを意味する（Ｓ＝Δδ／Δβ）。この場合、ジョイント中央平面から接続側の方向に移動するボールについての、中央の第１の溝区分の平均開放角勾配Ｓ１は、それに続く第２の溝区分の平均開放角勾配Ｓ２よりも大きい。１つの実施形態によると、ジョイント外側部分の接続側の区分における、もしくはジョイント内側部分の所属の開口側の区分における、少なくとも１つの溝対は、接続側の第１の平均開放角勾配（Ｓ１）が０．５よりも大きいように形成されている。代替的にまたは補足的に、溝形状は、接続側の第２の平均開放角勾配（Ｓ２）が０．５よりも小さいように形成されていてよい。開放角（δ）の第１の開放角勾配（Ｓ１）は、第１の屈曲角度範囲内の屈曲角度（β）に関して、一定または可変であってよい。代替的にまたは補足的に、少なくともいくつかの溝対は、第２の屈曲角度範囲内で屈曲角度（β）に関する、開放角（δ）の第２の開放角勾配（Ｓ２）が可変であるように構成されていてよい。しかしながら、第２の屈曲角度範囲の開放角勾配（Ｓ２）は一定であってもよい。特に、第２の屈曲角度範囲内の少なくとも１つの開放角（δ）は、中央の屈曲角度範囲の最大の開放角よりも大きくなっている。
【００１４】
少なくとも１つの溝対は、好適には、ジョイントが屈曲していない状態（β＝０°）で開放角（δ）がゼロ度以上（δ≧０°）であるように、かつ／または８度未満（δ＜８°）であるように、特に４度未満（δ＜４°）であるように、好適には２度未満（δ＜２°）であるように、構成されている。ジョイントが屈曲していない状態での開放角が比較的小さいことにより、ボール溝とボールとの間でボール溝に沿って作用する軸方向力は僅かである。したがって全体として、接触しているジョイント部分間には僅かな反力しか生じず、これにより摩擦損失は相応に僅かである。
【００１５】
ジョイントが屈曲していない位置もしくはジョイント中央平面を起点として、第１の屈曲角度範囲（β＝０°±２０°）内ではジョイントの屈曲が増加するにつれ、開放角は実質的に増加する。この場合、少なくとも１つの溝対は、開放角（δ）が、第１の屈曲角度範囲内では、少なくとも５度、特に少なくとも１０度増加するように構成されていてよい。中央の第１の屈曲角度範囲には、第２の屈曲角度範囲が続いている。第２の屈曲角度範囲は、数値的に２０°よりも大きな、すなわちマイナス２０°よりも小さなまたはプラス２０°よりも大きな屈曲角度（β）（β＞±２０°）を含んでいる。第２の屈曲角度範囲は、例えば４０°までの、特に５０°までの、特に最大屈曲角度までの屈曲角度を含んでいてよいが、これに限定されるものではない。
【００１６】
ジョイントが屈曲していない状態では、トルクを伝達するボールの中心点は、ジョイント中央平面に位置している、もしくはジョイント中央平面を規定している。この場合、ジョイントが屈曲していない状態でボールの中心点が位置している直径は、ピッチ円直径（ＰＣＤ）と呼ばれる。相応に、ピッチ円半径（ＰＣＲ）は、ジョイントが屈曲していない状態でボールの中心点が位置している、ジョイント中心点を中心とする半径を規定している。
【００１７】
屈曲しながら等速ジョイントが回転する際に、トルクを伝達するボールはボール溝に沿って移動する。この場合、ジョイント屈曲平面で見て、ジョイント外側部分の開口側へと移動しているボールは、ジョイント外側部分の開口側の溝区分内へ、かつジョイント内側部分の接続側の溝区分内へガイドされる。ジョイント屈曲平面で見て、ジョイント外側部分の接続側へと移動しているボールは、ジョイント外側部分の接続側の溝区分内へ、かつジョイント内側部分の開口側の溝区分内へガイドされる。
【００１８】
ジョイント外側部分のボール溝は、その長さにわたって、ジョイント中央平面に関してそれぞれ１つの開口側の溝区分と接続側の溝区分とを有している。ジョイント中央平面を起点として開口側で続いている、ジョイント内側部分の溝区分は、ジョイント外側部分の接続側の溝区分に実質的に相応している。すなわち、ジョイント内側部分の開口側の溝区分は、この溝区分の所属の中心点軌道が、ジョイント外側部分の接続側の溝区分の中心点軌道に対して、角度を二分する平面に関して鏡像対称的であるように形成されている。これは、各溝対に当てはまる。
【００１９】
１つの実施形態によれば、少なくとも複数の溝対は中央の屈曲角度範囲で、第１の屈曲角度範囲内の各屈曲角度（β）について、ジョイント屈曲平面（ＥＢ）でジョイント外側部分の開口側へと移動しているボールの開口側の開放角（δｏ）と、屈曲角度（β）が同じ場合にジョイント屈曲平面（ＥＢ）でジョイント外側部分の接続側へと移動しているボールの接続側の開放角（δａ）とが、同じ軸方向に開いているということが当てはまるように形成されていてよい。同じ軸方向を向く開放角とは、ジョイント屈曲平面で、接続側の方向に移動しているボールに、外側のボール溝および内側のボール溝から作用する合力が、開口側の方向に移動しているボールに作用する合力の軸方向の力成分と同じ軸方向に向いている軸方向の力成分を有していることを意味する。この構成により、ボールケージは少なくともほぼ、角度を二分する平面に沿って制御される。場合によっては、他の溝対も、好適には本発明による溝対の開放角と同じ軸方向を向いている開放角を有している。好適には全ての溝対が、ジョイントの屈曲状態で、全てのボールの開放角δが、各ジョイント屈曲平面で見て、同じ軸方向に開いているように形成されている。このことは、中央の屈曲角度範囲に続く第２の屈曲角度範囲にも適用されてよい。さらに、良好な製造のためには好適には、全ての外側のボール溝が互いに同様に形成されていて、全ての内側のボール溝が互いに同様に形成されている。
【００２０】
ボールの中心点は、外側のボール溝および内側のボール溝に沿って動く際に、ジョイント屈曲平面で見て、中心線（Ａ，Ａ’）を規定する。この場合、好適な構成によれば、中心線（Ａ，Ａ’）は、その長さにわたって、異なる曲率を有する少なくとも２つの溝区分を有している。異なる曲率を有する少なくとも２つの溝区分は、外側のボール溝および内側のボール溝の、開口側の区分内にかつ／または接続側の区分内にかつ／または部分的に開口側の区分内にかつ接続側の区分内に位置していてよい。
【００２１】
１つの好適な構成によれば、ジョイント外側部分のボール溝の接続側の溝区分は、したがってジョイント内側部分の開口側の溝区分も、セグメントとも呼ぶことができる、異なる曲率を有するそれぞれ少なくとも２つの部分区分を有している。
【００２２】
ジョイント外側部分の接続側の溝区分の第１のセグメントは、特に、接続側の溝区分の第１の曲率半径（Ｒａ１）に対するピッチ円半径（ＰＣＲ）の比が１．４よりも大きいように形成されている第１の曲率半径（Ｒａ１）を有していてよい。第１のセグメントの第１の曲率半径は、例えば第１のセグメント中心点（Ｍａ１）を中心とする第１の円弧区分によって形成されていてよく、第１のセグメント中心点（Ｍａ１）は、長手方向軸線から、ボール溝の方向に半径方向間隔（オフセット）を有している。第１の円弧区分は好適には、第１のセグメント中心点（Ｍａ１）を中心として１４°〜２２°の第１の溝セグメント角度（γ１）（１４°＜γ１＜２２°）にわたって延在している。第１のセグメント中心点（Ｍａ１）は、ジョイント中央平面（ＥＭ）に位置していてよく、またはこのジョイント中央平面から軸方向にシフトされていてよい。
【００２３】
ジョイント外側部分の接続側の溝区分の第２の部分セグメントは、特に、接続側の溝区分（２２ａ）の第２の曲率半径（Ｒａ２）に対するピッチ円半径（ＰＣＲ）の比が１．４よりも小さいように形成されている第２の曲率半径（Ｒａ２）を有していてよい。第２のセグメントの第２の曲率半径（Ｒａ２）は、第２のセグメント中心点（Ｍａ２）を中心とする第２の円弧区分によって形成されていてよく、第２のセグメント中心点（Ｍａ２）は、特にジョイント中央平面から開口側の方向に軸方向間隔（オフセット）を有している。第２の円弧区分は好適には、第２のセグメント中心点（Ｍａ２）を中心として１２°〜２０°の第２の溝セグメント角度（１２°＜γ２＜２０°）にわたって延在している。既に上述したように、ジョイント内側部分のボール溝は相応に同様に形成されている。
【００２４】
好適な構成によれば、ボールケージは、ジョイント外側部分の内面に対してボールケージをガイドするための球面状の外面と、ジョイント内側部分の外面に対してボールケージをガイドするための球面状の内面とを有している。球面状の外面の中心点と、球面状の内面の中心点との間に、軸方向のずれ（オフセット）が設けられていてよい。このような措置により、等速ジョイントの角度運動の際に、良好なケージ制御が達成される。しかしながら、球面状の内面と球面状の外面との中心点が一平面内に位置していることも可能である。ボールケージの外側の球面状の外面と、ジョイント外側部分の内側の球面状の面との間かつ／またはボールケージの球面状の内面とジョイント内側部分の球面状の外面との間には、好適には半径方向の遊びが設けられている。
【００２５】
好適な構成によれば、等速ジョイントを潤滑するための潤滑剤が設けられており、潤滑剤は０．０２〜０．０９の摩擦係数（μ）（０．０２＜μ＜０．０９）を、特に０．０５〜０．０６の摩擦係数（μ）（０．０５＜μ＜０．０６）を有している。
【００２６】
さらに、１つの可能な構成によれば、少なくともいくつかの溝対については、以下の記載、すなわち：ピッチ円半径（ＰＣＲ）とボール直径（ＤＢ）との比が１．４〜２．１である；ピッチ円半径（ＰＣＲ）とボールケージの前記軸方向のずれ（オフセット）との比が５．０〜１２．５である；ピッチ円半径（ＰＣＲ）と第２の溝セグメント中心点（Ｍａ２）の軸方向のずれ（オフセット）との比が４．０〜８．０である；ピッチ円半径（ＰＣＲ）とジョイント内側部分の接続成形部の直径との比が１．０〜１．２５である；かつ／またはピッチ円半径（ＰＣＲ）とジョイント外側部分の外径との比が０．３１５〜０．３４５である；のうちの少なくとも１つが適用されてよい。これらの範囲の１つ以上によるジョイントの構成では、特にコンパクトな構造が達成される。
【００２７】
等速ジョイントの互いに可動な部分の間には通常、遊びが設けられている。この場合、ジョイントは、例えば以下の寸法の１つ以上を有することができるが、これに限定されるものではない：ケージとボールハブ（ＯＲＣ）との間の半径方向の遊びは、例えば０．０１ｍｍ〜０．０８ｍｍであってよい；ケージとジョイント外側部分（ＩＲＣ）との間の半径方向の遊びは、例えば０．０１ｍｍ〜０．０８ｍｍであってよい；ボールと各ボール溝（ＳＫＲ）との間の半径方向の遊びは、例えば０ｍｍ〜０．０５ｍｍであってよい；かつ／またはボールとボールケージのケージ窓（ＳＫＦ）との間の遊びは、例えば−０．０３ｍｍ〜０．０３ｍｍであってよい。
【００２８】
等速ジョイントの組込み状態で、ジョイント室をシールするためにベローズを設けることができる。ベローズは、予荷重をかけて組み付けられてよく、これによりベローズによって、ジョイント内側部分とジョイント外側部分とに互いに離れるように荷重をかける軸方向の力が生じる。ベローズは、予荷重をかけられた状態で、上記構成部分間に存在する遊びを押し出す軸方向の力成分を発生させる。例えばトルクのない状態から高いトルクへ変化するような突然の負荷変更により、内側部分もしくは外側部分に対してケージが当接することがないので、望ましくない騒音は回避される。予荷重は、例えば３０Ｎ〜１５０Ｎのオーダにあってよい。
【００２９】
溝角度β／２としては、本開示の範囲では、ジョイント中心点Ｍから、トルクを伝達するボールのボール中心までの半径がジョイント中央平面ＥＭと形成する角度であると理解される。この場合、ジョイントの各角度位置で、溝角度β／２は、通常、ジョイント屈曲角度βの半分であり、すなわち例えば１０°までの溝角度β／２は、２０°のジョイント屈曲角度に相当する。
【００３０】
等速ジョイントは、ジョイント外側部分の球面状の内面もしくはジョイント内側部分の球面状の外面に対するボールケージのガイドに基づき、固定式ジョイントの形態で構成されており、その摺動運動は、ジョイント外側部分とジョイント内側部分との間の軸方向の遊びの範囲でのみ許容される。しかしながら、ケージを、ジョイント外側部分の内面およびジョイント内側部分の外面に対して軸方向で解放して、これによりジョイントが摺動式ジョイントとして形成されることも考えられる。
【００３１】
次に、図面につき好適な実施例を説明する。
【図面の簡単な説明】
【００３２】
【図１Ａ】本発明による等速ジョイントを、屈曲していない状態で示す縦断面図である。
【図１Ｂ】図１Ａのジョイントの細部を示す拡大図である。
【図１Ｃ】図１Ａのジョイントのボールケージを個別に示す図である。
【図１Ｄ】図１Ａのジョイントのジョイント外側部分を示す縦断面図である。
【図１Ｅ】図１Ａのジョイントのジョイント内側部分を示す縦断面図である。
【図１Ｆ】図１Ａのジョイントのジョイント外側部分を記入されたさらなる詳細と共に示す縦断面図である。
【図１Ｇ】図１Ａのジョイントのジョイント内側部分を記入されたさらなる詳細と共に示す縦断面図である。
【図２Ａ】図１Ａのジョイントを、屈曲していない状態で、すなわち０°の屈曲角度で示す図である。
【図２Ｂ】図１Ａのジョイントを、２０°の屈曲角度だけ屈曲した状態で示す図である。
【図２Ｃ】図１Ａのジョイントを、４０°の屈曲角度だけ屈曲した状態で示す図である。
【図３】屈曲角度β（角度）に関する開放角δ（角度）を示すグラフである。
【００３３】
以下に、図１Ａ〜図１Ｇ、図２Ａ〜図２Ｃ、および図３をまとめて説明する。本発明による等速ジョイント１１が示されている。この等速ジョイント１１は、ジョイント外側部分１２、ジョイント内側部分１３、トルクを伝達するボール１４、ならびにボールケージ１５を含む。ボールケージ１５は、ジョイント外側部分１２内にガイドされている球面状の外面１６と、ジョイント内側部分１３上でガイドされている球面状のケージ内面１７とを有している。ボール１４は、ボールケージ１５に周方向で分配されたケージ窓１８において、ジョイント中央平面ＥＭで保持されている。ジョイント外側部分１２には長手方向軸線Ｌ１２が示されており、ジョイント内側部分１３には長手方向軸線Ｌ１３が示されている。ジョイント中央平面ＥＭとの長手方向軸線Ｌ１２，Ｌ１３の交点が、ジョイント中心点Ｍを成している。
【００３４】
ジョイント外側部分１２は、接続ピン２４が結合されている底面１９と開口２０とを有している。ジョイント内側部分１３は開口２１を有しており、この開口には、トルクを伝達するための駆動軸２５のピンが相対回動不能に差し込まれている。本開示では、底面１９の位置は、「接続側に向かう」軸方向と言い、開口２０の位置は「開口側に向かう」軸方向と言う。これらの概念は、ジョイント内側部分１３に関しても用いられ、この場合、軸２５がジョイント内側部分１３に実際に接続されていることは重要ではない。ジョイント外側部分は、底面の代わりに、例えばたわみ継手の場合のように、接続側に向かって開かれて構成されていてもよいことを理解されたい。
【００３５】
ジョイント外側部分１２には等速ジョイント１１の外側のボール溝２２が形成されていて、ジョイント内側部分１３には等速ジョイント１１の内側のボール溝２３が形成されている。それぞれ１つの外側のボール溝２２と内側のボール溝２３とが互いに対向して共に１つの溝対を互いに形成しており、この溝対内に、それぞれ１つのトルクを伝達するボール１４がガイドされている。互いに対向している外側のボール溝２２と内側のボール溝２３とは、各長手方向軸線Ｌ１２，Ｌ１３を中心とした半径方向平面に位置していてよい。これらの半径方向平面は、それぞれ等しい角度間隔を互いに有している。しかしながら、周方向で隣接するそれぞれ２つの溝対が、長手方向軸線Ｌ１２，Ｌ１３に対して平行に位置する互いに平行な平面に延在していることも考えられる。この構成は「ツインボール」ジョイントとも呼ばれる。ジョイントの屈曲の際には、すなわち、ジョイント外側部分１２に対して相対的にジョイント内側部分１３が屈曲運動を行う場合には、ボール１４は、ジョイント中央平面ＥＭから出て、ジョイント外側部分１２の長手方向軸線Ｌ１２と、ジョイント内側部分１３の長手方向軸線Ｌ１３との間の角度を二分する平面へと少なくともほぼガイドされる。少なくともほぼとは、これらのボール１４のボール中心点によって画定される平面が、角度を二分する平面の±１０％の角度範囲内に位置すること、および特にこれに相当し得ることを意味する。
【００３６】
内側のボール溝の形状に少なくともほぼ相当する外側のボール溝２２の形状は、特に図１Ｄおよび図１Ｇからわかる。ボール１４は、ジョイント外側部分１２における外側のボール溝２２と、ジョイント内側部分１３における内側のボール溝２３とに接触している。この場合、ボール１４は、縦断面図で見て、外側のボール溝２２との接触領域で外側の接触線Ｋを形成しており、内側のボール溝２３との接触領域で内側の接触線Ｋ’を形成している。ボール１４は、ボール溝２２，２３の溝底部で接触して示されているが、これは必ずしも必要ではない。したがって、図示したように、外側の接触線Ｋと内側の接触線Ｋ’とは、溝底部に位置していてよく、すなわち、長手方向軸線Ｌ１２，Ｌ１３を含む１つの半径方向平面内に、または長手方向軸線に対して平行な複数の平面内に位置していてよい。外側のボール溝２２および内側のボール溝２３に沿って移動する際に、ボール１４の中心点がそれぞれ１つの中心線Ａ，Ａ’を規定する、即ち中心線Ａ，Ａ’に沿って移動する。中心線Ａ，Ａ’は、各接触線Ｋ，Ｋ’に対して平行に延在している。ボール溝２２，２３を記述するために、溝底部における接触線Ｋ，Ｋ’に、またはジョイントの屈曲運動の際のボール中心点の軌道若しくは軌跡により定義される中心線Ａ，Ａ’に関連付けて説明することができる。この場合、ボール中心線Ａとは、ジョイント外側部分１２の外側のボール溝２２に沿ったボール１４のボール中心点の線であり、ボール中心線Ａ’とは、ジョイント内側部分１３の対応する内側のボール溝２３に沿ったボール中心線である。
【００３７】
この実施形態では、ボールケージ１５の球面状の外面１６の中心点Ｍ１６と、ボールケージ１５の球面状の内面１７の中心点Ｍ１７との間に、軸方向のずれ（オフセット）が設けられている。これにより、等速ジョイントの角度運動の際に、良好なケージ制御が達成される。ボールケージ１５の球面状の内面１７と、ジョイント内側部分１３の球面状の外面との間ならびにボールケージ１５の球面状の外面１６とジョイント外側部分１２の球面状の内面との間にはオプションとしてそれぞれ遊びが設けられている。ケージ１５とジョイント内側部分１３との間のかつ／またはケージ１５とジョイント外側部分１２との間の半径方向の遊びは、例えば０．０１ｍｍ〜０．０８ｍｍであってよい。ボール１４と各ボール溝２２との間の半径方向の遊びＳ１４ｒは、例えば０ｍｍ〜０．０５ｍｍであってよい。ボール１４とボールケージ１５のケージ窓１８との間の軸方向の嵌め合いＳ１４ａは、例えば−０．０３ｍｍ〜０．０３ｍｍであってよい。
【００３８】
ジョイントを外部の影響に対してシールするために、通常、シールエレメント、例えばベローズまたはダイヤフラムベローズが設けられる。シールエレメントによって取り囲まれるジョイント室には、好適には少なくとも部分的に潤滑剤が充填されている。潤滑剤は例えば、０．０２〜０．０９の摩擦係数μ（０．０２＜μ＜０．０９）を、特に０．０５〜０．０６の摩擦係数μ（０．０５＜μ＜０．０６）を有していてよい。
【００３９】
さらに等速ジョイント１１は、少なくともいくつかの溝対２２，２３について、以下の特徴の１つ以上を満たすように形成されていてよい：ピッチ円半径ＰＣＲとボール直径Ｄ１４との比が１．４〜２．１である；ピッチ円半径ＰＣＲとボールケージの軸方向のずれ（オフセット）との比が５．０〜１２．５である；ピッチ円半径ＰＣＲと第２の溝セグメント中心点Ｍａ２の軸方向のずれ（オフセット）との比が４．０〜８．０である；ピッチ円半径ＰＣＲとジョイント内側部分の接続成形部の直径との比が１．０〜１．２５である；かつ／またはピッチ円半径ＰＣＲとジョイント外側部分の外径との比が０．３１５〜０．３４５である。
【００４０】
以下に、本発明による等速ジョイントの独自性について、特にボール溝２２，２３の構成について、詳しく説明する。この場合、本発明による等速ジョイントもしくはボール溝の設計に関して以下の定義が適用される：
【００４１】
ジョイント屈曲角度βは、ジョイント外側部分１２の長手方向軸線Ｌ１２と、ジョイント内側部分１３の長手方向軸線Ｌ１３との間に形成される角度を定義する。ジョイント屈曲角度βは、屈曲していないジョイントではゼロである。
【００４２】
溝角度β／２は、ジョイント中心点Ｍからボール中心までの半径がジョイント中央平面ＥＭと形成する角度を定義する。この場合、溝角度β／２は、ジョイントの全ての角度位置で常に、ジョイント屈曲角度βの半分である。
【００４３】
開放角δは、第１のボール溝２２もしくは第２のボール溝２３とボール１４との接触点における接線Ｔ，Ｔ’によって形成される角度と定義される。この場合、本開示における体系は、技術的に可能な屈曲角度範囲により様々な大きさとなり得る開放角は概してδで示されている、というものである；選択された具体的な屈曲角度は、各屈曲角度と、ボールの位置に関する記述とにより補完することができる（例えばδ０は、屈曲角度がゼロの場合の開放角を示し、またはδ２０ｏは、屈曲角度が２０°の場合の開口側のボールにおける開放角を示す）。
【００４４】
ジョイント１１の屈曲βに対する開放角δの変化は、開放角δの増加率Ｓとして定義される（Ｓ＝Δδ／Δβ）。
【００４５】
中心点平面ＥＭは、ジョイントが屈曲していない状態における、トルクを伝達するボール１４のボール中心点によって定義されている。つまり、中心点平面ＥＭに、各ボール１４の中心点が位置する。
【００４６】
ジョイントが屈曲していない状態でボール１４の中心点が位置している直径は、ピッチ円直径ＰＣＤと呼ばれる。相応にジョイントが屈曲していない状態でボール１４の中心点が位置している半径は、ピッチ円半径ＰＣＲと呼ばれる。
【００４７】
図１Ｄではジョイント外側部分１２が、互いに等間隔で延在するその中心線Ａと接触線Ｋと共に示されている。
【００４８】
この場合、等速ジョイント１１は、６個のボール１４もしくは６個の溝対２２，２３を含んでいるが、他の個数も勿論考えられる。ジョイント外側部分１２の中心線Ａは、開口側から接続側の方向で、ジョイント中央平面ＥＭまで延在する開口側区分Ａｏと、この開口側区分Ａｏに連続的に接続している接続側区分Ａａとを有している。相応に、ジョイント内側部分１３の中心線Ａ’も、開口側から接続側の方向で、開口側区分Ａｏ’と、この開口側区分に連続的に接続している接続側区分Ａａ’とを有している。
【００４９】
等速ジョイント１１の少なくともいくつかの溝対２２，２３は、第１の屈曲角度範囲β１内の屈曲角度βに対する開放角δの平均開放角勾配Ｓ１が、第２の屈曲角度範囲β２内の第２の平均開放角勾配Ｓ２よりも大きいように形成されている。開放角についての詳細は、図３との関連でさらに後述する。
【００５０】
図１Ｄ〜図１Ｇには、ジョイント外側部分１２の外側のボール溝２２もしくはジョイント内側部分１３の内側のボール溝２３の溝形状のさらなる詳細が示されている。
【００５１】
ジョイント外側部分１２の接続側の溝区分２２ａがそれぞれ２つのセグメント２２ａ１，２２ａ２を有していることがわかる。ジョイント外側部分１２の接続側の溝区分２２ａの第１のセグメント２２ａ１は、ジョイント中央平面ＥＭから、１０°の溝角度β／２にわたって延在していて、これは２０°のジョイント屈曲角度に相当する。第１の接続側の溝セグメント２２ａ１は、第１のセグメント中心点Ｍａ１に対して第１の曲率半径Ｒａ１を有している。曲率半径Ｒａ１は、ピッチ円半径ＰＣＲよりも小さく、第１の曲率半径Ｒａ１に対するピッチ円半径ＰＣＲの比は特に１．４よりも大きくてよい。第１のセグメント中心点Ｍａ１は、ジョイント中央平面ＥＭに位置しており、長手方向軸線Ｌ１２から所属のボール溝２２の方向に半径方向間隔Ｏｒ１を有している。第１の溝セグメント２２ａ１は、第１のセグメント中心点Ｍａ１を中心として第１の溝セグメント角度γ１にわたって延在しており、この溝セグメント角度γ１は特に１４°〜２２°であってよい。
【００５２】
第１の溝セグメント２２ａ１には、第２の溝セグメント２２ａ２が連続的に続いている。ジョイント外側部分１２の接続側の溝セグメント２２ａ２は、第２のセグメント中心点Ｍａ２を中心として第２の曲率半径Ｒａ２を有している。第２の曲率半径Ｒａ２は、第１の曲率半径Ｒａ１よりも大きく、接続側の溝区分２２ａの第２の曲率半径Ｒａ２に対するピッチ円半径ＰＣＲの比は１．４よりも小さくてよい。接続側の第２の溝セグメント２２ａ２のセグメント中心点Ｍａ２は、この場合、長手方向軸線Ｌ１２上に位置していて、ジョイント中心点Ｍよりも軸方向で開口側の方向に軸方向間隔Ｏ２ａだけシフトされており、この場合、円中心点Ｍａの半径方向のシフトを有する別の構成も考えられる。第２の溝セグメント２２ａ２は、第２のセグメント中心点Ｍａ２を中心として第２の溝セグメント角度γ２にわたって延在しており、この溝セグメント角度は特に１２°〜２０°であってよい。図１Ｅおよび図１Ｇからわかるように、ジョイント内側部分１３のボール溝２３は相応に同様に形成されている。
【００５３】
この等速ジョイントのボール溝２２，２３は、したがって全体として２つの曲率変更点を有しているが、これに限定されるものではない。曲率変更とはこの関連では、数学的な意味で中心線Ａ，Ａ’の傾きの各変化であると理解されたい。
【００５４】
第１の曲率変更点Ｐ１は、開口側の溝区分２２ｏと接続側の溝区分２２ａとの間に形成されている。曲率変更点Ｐ１は、ジョイント中央平面ＥＭに位置している。曲率変更点Ｐ１を通って延在する接線は、長手方向軸線Ｌ１２に対して平行に延在している。この場合、開口側の溝区分２２ｏは、長手方向軸線Ｌ１２に対して平行な直線によって形成されているが、これに限定されるものではない；円弧または高次曲線による開口側の溝区分の構成も考えられる。第２の曲率変更点Ｐ２は、第１の接続側の溝セグメント２２ａ１と第２の接続側の溝セグメント２２ａ２との間に形成されている。
【００５５】
本発明による等速ジョイント１１のジョイント内側部分１３は、ジョイント外側部分１２のボール中心線Ａに対して相補的に形成されているボール中心線Ａ’を有している。すなわち、ジョイント内側部分１３のボール中心線Ａ’は、ジョイント中央平面ＥＭに関して、もしくはジョイント外側部分１２の長手方向軸線Ｌ１２とジョイント内側部分１３の長手方向軸線Ｌ１３との間の角度を二分する平面に関して、ジョイント外側部分１２のボール中心線Ａに対して鏡像対称的である。したがって繰り返しを避けるため、ジョイント内側部分１３のボール中心線Ａ’の溝延在形状に関しては、ジョイント外側部分１２のボール溝２２の説明に関連して行った説明が参照される。
【００５６】
図２Ａ〜図２Ｃには、等速ジョイント１１が様々な角度位置で示されていて、図２Ａにはジョイント外側部分１２とジョイント内側部分１３とが同軸に向けられている状態で、すなわち屈曲角度β＝０°の状態で示されていて、図２Ｂには屈曲角度が２０°の状態で示されていて、図２Ｃには屈曲角度が４０°の状態で示されている。この場合、ジョイントの様々な屈曲角度において異なる開放角が形成されている。開放角δは、それぞれ、各ボール１４との外側の接触線Ｋに当接する外側の接線Ｔと、上記ボール１４の内側の接触線Ｋ’に当接する内側の接線Ｔ’との間に形成される。
【００５７】
図２Ａにより、屈曲角度βがゼロ度の場合に外側の接触線Ｋに接触する外側の中央の接線Ｔと、内側の接触線Ｋ’に接触する内側の中央の接線Ｔ’とが互いに平行に延在しており、すなわちジョイントが屈曲していない状態では、開放角δ０はゼロ度であることがわかる。しかしながら、ジョイントが屈曲していない状態で開放角δがゼロよりも大きくてもよく、例えば０〜８度であってもよい。ジョイントが屈曲していない状態での開放角δ０が小さいことにより、ボール溝２２，２３からボール１４へは比較的小さい軸方向の力しか作用せず、これはジョイントの摩擦低減の効果をもたらす。
【００５８】
さらに、図２Ｂおよび図２Ｃにより、外側のボール溝２２および内側のボール溝２３が、ジョイント屈曲平面において、ジョイント中央平面ＥＭから開口側の方向に移動しているボール１４ｏ（図面の下半側）においても、ジョイント中央平面ＥＭから接続側の方向に移動しているボール１４ａ（図面の上半側）においても、同じ軸方向で開く開放角δが生じるように構成されていることがわかる。すなわち、開放角δによってボール溝２２，２３からボール１４に作用する軸方向の合力は、同じ軸方向に作用する。
【００５９】
第１の屈曲角度範囲は、この場合、ジョイント中央平面ＥＭを中心としてプラスマイナス２０度（β＝０°±２０°）の屈曲角度を含むように、すなわち−２０°〜＋２０°の屈曲角度範囲β１を含むように（−２０°＜β１＜２０°）、規定されている。これに続く第２の屈曲角度範囲β２は、数値的に２０度よりも大きな屈曲角度βを、すなわち２０°よりも大きなかつ−２０°よりも小さな屈曲角度β（β＜−２０°またはβ＞２０°）を含んでいる。
【００６０】
２０°の屈曲角度β（図２Ｂ）について、ジョイント屈曲平面において開口側の方向に移動しているボール１４ｏにおける外側の接線Ｔ２０ｏと内側の接線Ｔ２０ｏ’との間には、この実施形態では特に約２０°である第１の開放角δ２０ｏが形成され、ジョイント屈曲平面において接続側の方向に移動しているボール１４ａにおける外側の接線Ｔ２０ａと内側の接線Ｔ２０ａ’との間には、特に約１０°である第２の開放角δ２０ａが形成される。
【００６１】
より大きな４０°の屈曲角度β（図２Ｃ）の場合は、開口側のボール１４ｏおよび接続側のボール１４ａにおける開放角δ４０ｏ，δ４０ａは、この実施形態ではそれぞれ２０°の屈曲角度の場合の開放角よりも大きい。この場合、開口側のボール１４ｏにおける開放角δ４０ｏは特に約４０°であり、接続側のボール１４ａにおける開放角δ４０ａは特に約２０°である。
【００６２】
上記屈曲角度βに関連する上記開放角δは、例えば選択された溝形状に依存することがわかる。
【００６３】
次に、屈曲角度β（角度）に対する開放角δ（角度）の関係を示した図３のグラフに基づき、溝対２２，２３の可能な構成を説明する。この場合、ジョイントの屈曲時にジョイント外側部分１２の接続側に向かって移動するボール１４についての開放角δは、マイナスの屈曲角度βに関して記載されている。したがって、ジョイントの屈曲時にジョイント外側部分１２の開口側に向かって移動するボール１４についての開放角δは、プラスの屈曲角度βに関して記載されている。ゼロ〜５０°の屈曲角度βの角度範囲における下方の点線は、実質的に、図１〜図２に示した溝対の本発明による構成を示している。ゼロ〜５０°の屈曲角度βに関する上方の点線は、本発明による開放角δの例としての上限を示している。下方の点線と上方の点線との間には、ジョイントの屈曲時にジョイント外側部分１２の接続側に向かって移動するボール１４に関して、別の例としての構成が実線で示されている。
【００６４】
ジョイントが屈曲していない状態（β＝０°）では開放角δがゼロである（δ＝０°）ことは全ての図において共通である。下方の点線を示す溝対に関しては、第１の接続側の溝セグメント２２ａ１，２３ａ１の第１の平均開放角勾配Ｓ１は、０．５であり、すなわち、屈曲角度β＝−１０°の場合、開放角δは５°であり、屈曲角度β＝−２０°の場合、開放角δは１０°である。好適には、第１の接続側の溝セグメント２２ａ１，２３ａ１の内側では、開放角δは少なくとも１０度増加する（δ２０−δ０≧１０°）。第２の接続側の溝セグメント２２ａ２，２３ａ２では、すなわち２０°よりも大きい屈曲角度以降は、開放角δは、下方の点線の構成では一定の１０°であり、すなわち開放角勾配Ｓ２はゼロである。
【００６５】
屈曲角度βに対する開放角δの延在範囲が両点線の間に生じる、溝対２２，２３の接続側の区分２２ａ，２３ａの任意の別の構成が考えられる。例えば、第１の接続側の溝セグメント２２ａ１，２３ａ１の内側の数値的に１５°までの屈曲角度において第１の平均開放角勾配Ｓ１は、２．０であってよく、すなわち、屈曲角度β＝−１０°の場合、開放角δは２０°であり、屈曲角度β＝−１５°の場合、開放角δは３０°である（上方の点線）。第２の接続側の溝セグメント２２ａ２，２３ａ２では、開放角δはさらに増加することができるが、例えば０．５未満の僅かな勾配（増加率）Ｓ２である。
【００６６】
溝対２２，２３の開口側の区分２２ｏ，２３ｏは、この構成では、ジョイントの屈曲角度βが増加する場合に開放角δが一定の割合で増加するように構成されている。すなわち、屈曲角度β＝１０°の場合、開放角δは１０°であり、屈曲角度β＝２０°の場合、開放角δは２０°であり、以下同様である（破線）。このような構成により、第１の屈曲角度範囲内の各屈曲角度βにおいて、ジョイント屈曲平面ＥＢでジョイント外側部分１２の開口側へと移動しているボール１４の開口側の開放角δｏと、屈曲角度βが同じ場合にジョイント屈曲平面ＥＢでジョイント外側部分１２の接続側へと移動しているボール１４の接続側の開放角δａとが、同じ軸方向に向かって開いている。
【００６７】
全体として、等速ジョイントでは、ジョイント中央平面ＥＭを中心として２０度までの中央の屈曲角度範囲内では開放角δは比較的大きく上昇し、これによりこの場合、ボールケージ１５の確実なケージ制御が保証されている。しかしながら、２０度を超える比較的大きな屈曲角度βの場合には開放角δの増加率は再び減少し、特に、中央の屈曲角度範囲におけるよりも小さくなることにより、ボール１４は、このような大きな屈曲角度βの場合でもジョイント内側部分１３で確実にガイドされ、ジョイント内側部分１３のボール溝２３から軸方向にごく僅かにしか出ない。
【符号の説明】
【００６８】
１１  等速ジョイント
１２  ジョイント外側部分
１３  ジョイント内側部分
１４  ボール
１５  ボールケージ
１６  外側のボール面
１７  内側のボール面
１８  窓
１９  接続側
２０  開口側
２１  開口
２２  外側のボール溝
２２ａ，２２ｏ  溝区分
２３  内側のボール溝
２３ａ，２３ｏ  溝区分
２４  ピン
２５  駆動軸
Ａ，Ａ’  中心線
Ａａ，Ａｏ  中心線
Ｒ  半径
Ｍ  ジョイント中心点
ＥＭ  ジョイント中央平面
Ｔ，Ｔ’  接線
β  ジョイント屈曲角度
δ  開放角
【図１Ａ】
2021529291.tif 000003
【図１Ｂ】
2021529291.tif 000004
【図１Ｃ】
2021529291.tif 000005
【図１Ｄ】
2021529291.tif 000006
【図１Ｅ】
2021529291.tif 000007
【図１Ｆ】
2021529291.tif 000008
【図１Ｇ】
2021529291.tif 000009
【図２Ａ】
2021529291.tif 000010
【図２Ｂ】
2021529291.tif 000011
【図２Ｃ】
2021529291.tif 000012
【図３】
2021529291.tif 000013
【国際調査報告】
2021529291.tif 000014
2021529291.tif 000015
2021529291.tif 000016
2021529291.tif 000017